(57)【要約】    【課題】  フレームの歪み発生、フレームの重量増加、コストの増加。    【構成】  左右の側部フレーム４と上部フレーム３と下部フレーム５により四角枠形状に形成した車両用シートの背凭シートの背凭骨格フレームにおいて、前記下部フレーム５の側部フレーム４との取付部分には上側取付部１７と下側取付部１８とにより二股状に形成した取付固定部１５を設けたシートフレーム。【選択図】    図１
2005119468.tif 000002
【特許請求の範囲】
【請求項１】
左右の側部フレーム４と上部フレーム３と下部フレーム５により四角枠形状に形成した車両用シートの背凭シートの背凭骨格フレームにおいて、前記下部フレーム５の側部フレーム４との取付部分には上側取付部１７と下側取付部１８とにより二股状に形成した取付固定部１５を設けたシートフレーム。
【請求項２】
請求項１において、前記取付固定部１５は、前記下部フレーム５の左右両側に一体または別体に設けたシートフレーム。
【請求項３】
請求項１または請求項２において、前記側部フレーム４の下側の所定部分にはリクライニング装置のリクライニングバネ６の一端を係止するバネ取付用ブラケットを固定し、前記取付固定部１５は、上側取付部１７と下側取付部１８との間にバネ取付用ブラケット７を取付けるため隙間３４を形成したシートフレーム。
【請求項４】
請求項１または請求項２または請求項３において、前記側部フレーム４の側部外面所定高さ位置にはアームレスト３６のアームレスト取付用ブラケット３７を設け、前記左右の側部フレーム４の間には左右方向のバネ体１１を上下に複数並設し、上下に並設したバネ体１１のうちの最低位置のバネ体１１に対して前記取付固定部１５は正面視において一部または全部が重なる高さ位置に設けたシートフレーム。
【請求項５】
請求項４において、前記取付固定部１５の上側取付部１７は側面視前側に至るに従い上方になるように傾斜させたシートフレーム。
【請求項６】
請求項１または請求項２または請求項３または請求項４または請求項５において、前記下部フレーム５は、中央の中央部１６の両側に取付固定部１５を設けて形成し、取付固定部１５から中央部１６の間の所定位置には境界ビード部３８を設けたシートフレーム。
【発明の詳細な説明】
【技術分野】
【０００１】
本発明は、左右一対の側部フレームと上部フレームと下部フレームにより四角枠形状に形成した車両用シートの背凭シートの背凭骨格フレームに係るものである。
【背景技術】
【０００２】
従来、車両用シートの背凭シートの背凭骨格フレームは、左右一対の側部フレームを、上部フレームと下部フレームの夫々により連結して四角枠形状に形成している。
公知例は、シートの一部に掛る荷重は直接荷重が掛かった以外の部分に反力として作用し、捻じれのモーメントが発生する。
四角枠形状の背凭骨格フレームは、一方部分に掛る荷重により他方部分を反対方向に動かして生じる捻じれのモーメントが発生し、全体が歪むことになる。
【特許文献１】特開平１０−１１９６１９号公報
【発明の開示】
【発明が解決しようとする課題】
【０００３】
フレームの歪み発生、フレームの重量増加、コストの増加。
【課題を解決するための手段】
【０００４】
本発明は、簡単な構成で前記課題を解決するもので、特に、アームレストを設けたシートの場合有効となるようにし、左右の側部フレーム４と上部フレーム３と下部フレーム５により四角枠形状に形成した車両用シートの背凭シートの背凭骨格フレームにおいて、前記下部フレーム５の側部フレーム４との取付部分には上側取付部１７と下側取付部１８とにより二股状に形成した取付固定部１５を設けたシートフレームとしたものである。
本発明は、前記取付固定部１５は、前記下部フレーム５の左右両側に一体または別体に設けたシートフレームとしたものである。
本発明は前記側部フレーム４の下側の所定部分にはリクライニング装置のリクライニングバネ６の一端を係止するバネ取付用ブラケットを固定し、前記取付固定部１５は、上側取付部１７と下側取付部１８との間にバネ取付用ブラケット７を取付けるため隙間３４を形成したシートフレームとしたものである。
本発明は、前記側部フレーム４の側部外面所定高さ位置にはアームレスト３６のアームレスト取付用ブラケット３７を設け、前記左右の側部フレーム４の間には左右方向のバネ体１１を上下に複数並設し、上下に並設したバネ体１１のうちの最低位置のバネ体１１に対して前記取付固定部１５は正面視において一部または全部が重なる高さ位置に設けたシートフレームとしたものである。
本発明は、前記取付固定部１５の上側取付部１７は側面視前側に至るに従い上方になるように傾斜させたシートフレームとしたものである。
本発明は、前記下部フレーム５は、中央の中央部１６の両側に取付固定部１５を設けて形成し、取付固定部１５から中央部１６の間の所定位置には境界ビード部３８を設けたシートフレームとしたものである。
【発明の効果】
【０００５】
請求項１の発明では、荷重は強固に支持され、軽量に構成しつつ捻じれ荷重にも対応し、全体の剛性を向上させる。特に、アームレスト３６を設けた場合でも、荷重を支持できる。
請求項２の発明では、下部フレーム５の設計の自由度を向上させ、シートフレームの大きさ形状に合った最適な形状の下部フレーム５を提供できる。
請求項３の発明では、リクライニング装置の取付に支障を与えずに、捻じれ荷重に対応した全体の剛性を向上させたフレームを提供できる。
請求項４の発明では、特に、バネ体１１をアームレスト取付用ブラケット３７の下方にまで配置してクッション性を向上させたときでも、取付固定部１５は荷重を支持できる。
請求項５の発明では、アームレスト取付用ブラケット３７に取付固定部１５を接近させることができ、強固に荷重を支持する。
請求項６の発明では、下部フレーム５全体の剛性を向上させる。
【実施例１】
【０００６】
本発明の一実施例を図面により説明すると、１は車両用シートの背凭シートの背凭骨格フレームであり、背凭骨格フレーム１は、ヘッドレストのピラーを装着する支持機構２を有する上部フレーム３を設け、上部フレーム３の左右両側には側部フレーム４を設け、該側部フレーム４の下部は左右方向の下部フレーム５により連結する。したがって、背凭骨格フレーム１は、上部フレーム３と側部フレーム４と下部フレーム５により正面視四角枠形状に形成する。
前記側部フレーム４の下側の所定部分にはリクライニング装置（図示省略）のリクライニングバネ６を取付けるバネ取付用ブラケット７を固定する。座席用ブラケット８は座席フレームに固定の座席用ブラケット、９は背凭骨格フレーム１を座席用ブラケット８に取付ける取付軸であり、背凭骨格フレーム１は取付軸９中心に前後回動する。
前記側部フレーム４は、縦板部材の前後両側に前後フランジ部１０を設けて横断面が略［型形状に形成する。左右の側部フレーム４の間には左右方向のバネ体１１を上下に複数並設して両者を連結して着座者を支持する。１２は側部フレーム４に設けたバネ体１１のバネ取付部である。
【０００７】
しかして、前記下部フレーム５の左右両側には取付固定部１５を設ける。取付固定部１５は、下部フレーム５の左右中央の中央部１６の左右側に位置し、側部フレーム４に近づく（外側）に従い高くなる上側取付部１７と、前記バネ取付用ブラケット７の下方の側部フレーム４の内面に当接固定される下側取付部１８とを有して前側が分岐した略二股形状に形成する。
上側取付部１７は、左右方向の縦板部１９の上縁に上側横板部２０を連続して形成する。上側取付部１７の上側横板部２０は、正面視において側部フレーム４に近づくに従い高くなるように傾斜させ、また、側面視においても前側に至るに従い上方に位置するように傾斜させる。
上側横板部２０は平面視において側部フレーム４に近づくに従い幅広の三角状に形成し、上側横板部２０の前縁から外側に掛けて「Ｓ」形状に絞るようにした上側ビード部２１を設ける。
【０００８】
該上側ビード部２１は起立させ、起立させた上側ビード部２１の側面を側部フレーム４の内面に当接させ、上側ビード部２１の上部後縁を側部フレーム４に溶接固定２２する。
また、上側ビード部２１には下側に突き出るように上側側板部２５を形成し、上側側板部２５は側部フレーム４の内面に当接させてスポット溶接により溶接固定２６する。
【０００９】
しかして、下側取付部１８は縦板部１９の下縁に前側に突き出るように下側横板部３０を連続して形成する。下側横板部３０は、正面視において側部フレーム４に近づくに従い低くなるように傾斜させ、また、側面視においても前側に至るに従い下方に位置するように傾斜させる。
下側横板部３０の側部フレーム４側には下側側板部３１を形成し、下側側板部３１の側面を側部フレーム４に当接させてスポット溶接により溶接固定３２する。
この場合、側面視において上側取付部１７の下縁と下側取付部１８の上縁との間にバネ取付用ブラケット７の取付スペースを形成する隙間３４を形成する。実施例では、隙間３４に対応する部分の側部フレーム４にバネ取付用ブラケット７の取付用孔３５を形成している。
【００１０】
しかして、前記側部フレーム４のうち、左右何れか一方または両方には、アームレスト３６を取付けるためのアームレスト取付用ブラケット３７を設ける。アームレスト取付用ブラケット３７は側部フレーム４の上下中間の所定位置に固定状態に設ける。アームレストアームレスト３６は公知のものであり、前記アームレスト取付用ブラケット３７に左右方向の横軸（図示省略）により回動自在に軸装し、アームレストアームレスト３６内に設けた調節機構（図示省略）により先端が上下して、所望位置でロックされるように構成する。
【００１１】
しかして、前記下部フレーム５は、中央部１６の両側に取付固定部１５を有するが、中央部１６と取付固定部１５は一体または別体の何れに構成してもよいが、中央部１６と取付固定部１５の間の所定位置には境界ビード部３８を設ける。境界ビード部３８は、取付固定部１５の剛性を向上させたことによって下部フレーム５に応力集中する中央部１６と取付固定部１５の付近の所定位置に、側部フレーム４側に至るに従い高く傾斜させて形成する。
【００１２】
しかして、上下に並設したバネ体１１のうちの最も低い高さ位置に位置するバネ体１１は、アームレスト取付用ブラケット３７の下方に位置させ、クッション性を良好にしている。
この場合、取付固定部１５の上側取付部１７は正面視において最低位置のバネ体１１と一部または全部が重なるようにすると、クッション性を良好にしつつ強度が向上して、好適である。
また、上側横板部２０は側面視上側に至るに従い前側になるように傾斜させ、上側横板部２０および上側ビード部２１の上端位置を高くすることで可及的にアームレスト取付用ブラケット３７に近づけることができ、一層、強度を向上させる。
【００１３】
（実施例の作用）
左右の側部フレーム４の上部に上部フレーム３を、下部に下部フレーム５を夫々固定し、左右の側部フレーム４に左右方向のバネ体１１を上下に複数並設して背凭骨格フレーム１を構成する。
しかして、下部フレーム５は、左右の取付固定部１５を側部フレーム４に固定し、取付固定部１５は側面視前上りに傾斜させた上側取付部１７と上側取付部１７の下方位置する下側取付部１８とにより二股状に形成し、上側取付部１７と下側取付部１８の夫々を側部フレーム４に溶接固定しているから、上部フレーム３と側部フレーム４と下部フレーム５により正面視四角枠形状に形成した背凭骨格フレーム１であっても、側部フレーム４に掛る荷重は上側取付部１７と下側取付部１８により分散し、それゆえ、荷重は強固に支持され、軽量に構成しつつ捻じれ荷重にも対応し、全体の剛性を向上させる。
【００１４】
即ち、上部フレーム３の左右何れか一方に前方に向けて荷重が係ると、側部フレーム４の上部は前方に下部は後方移動するように作用するが、側部フレーム４と取付固定部１５の縦板部１９と上側取付部１７の上側横板部２０および下側取付部１８の下側横板部３０との三角形部分で荷重を支持するから、捻じれ荷重にも対応し、全体の剛性を向上させる。
また、上側取付部１７の上側横板部２０の上側ビード部２１と、上側取付部１７の上側側板部２５とを側部フレーム４に溶接固定しているから、上側取付部１７部分自体が上下二か所で溶接されているので、いろいろな方向からの荷重を支持でき、捻じれ荷重にも対応し、全体の剛性を向上させる。
【００１５】
しかも、上側取付部１７は、上側横板部２０を正面視において側部フレーム４に近づくに従い高くなるように傾斜させ、また、側面視において前側に至るに従い上方に位置するように傾斜させているから、上側取付部１７の断面の端面面積は側部フレーム４に近づくに従い大きくなって、荷重強度を向上させる。
また、上側横板部２０の内側から前側に掛けて「Ｓ」形状に絞るように上側ビード部上側ビード部２１を形成しているので、一層支持強度を向上させる。
【００１６】
しかして、下側取付部１８は縦板部１９の下縁に下側横板部３０を前側に突き出るように形成し、下側横板部３０の側部の下側側板部３１の側面を側部フレーム４に当接させて溶接固定３２しているから、取付固定部１５は計三か所所定の距離をおいて側部フレーム４に溶接固定されていることになり、支持強度を向上させる。
この場合、側面視において上側取付部１７の下縁と下側取付部１８の上縁との間にバネ取付用ブラケット７の取付用の隙間３４を形成しているから、リクライニング用バネ取付用ブラケット７が設けてあっても、側部フレーム４と取付固定部１５との固定部分の強度を確保できる。
【００１７】
しかして、前記左右の側部フレーム４の両方またはいずれか一方にアームレスト取付用ブラケット３７を設けてアームレスト３６を設けた場合、アームレスト３６は、その基部を背凭骨格フレーム１に片持状態に取付けるので、先端は自由端になって左右に振れる方向に荷重が掛かり、この荷重は側部フレーム４を捩じるように作用し、特に、側部フレーム４を外側に開くように作用するが、下部フレーム５の取付固定部１５は、上側取付部１７と下側取付部１８により荷重を支持し、側部フレーム４と下部フレーム５の連結強度を向上させているから、背凭骨格フレーム１の捻じれ変形を防止する。
【００１８】
取付固定部１５の上側取付部１７の上側ビード部２１は前上りに傾斜して側部フレーム４の内面に当接しているから、アームレスト３６による側部フレーム４を外側に開くように作用する荷重は、上側ビード部２１が筋交いのように作用して側部フレーム４の剛性を向上させる。
また、下側取付部１８は上側取付部１７の下側の側部フレーム４の内面に略全幅に亘って当接しているから、前上りに傾斜して側部フレーム４の内面に当接する上側取付部１７と相俟って、三角状に支持することになって、強固に支持する。
また、アームレスト３６により側部フレーム４に垂直方向に荷重が掛かるが、この荷重も取付固定部１５の上側取付部１７と下側取付部１８により分散して、一部に荷重が集中するのを防止して支持する。
以上のように、四角枠形状に形成した背凭骨格フレーム１の全体の剛性を向上させ、かつ、アームレスト３６にかかる荷重までも支持し得る最も効率のよい合理的構成となる。
【００１９】
また、上側取付部１７の上側ビード部２１は正面視において、側部フレーム４に当接する起立部と、上側横板部２０に連設する傾斜部とを有して形成しているから、捻じれ荷重にも対応し、全体の剛性を向上させる。
また、取付固定部１５の上側横板部２０は側面視上方に至るに従い前側に傾斜しているから、側部フレーム４の前縁と後縁とが捻じれようとしても、これを強固に支持する。
また、取付固定部１５の縦板部１９は、側部フレーム４の後縁のすぐ前側に位置しているから、上側横板部２０および上側ビード部２１と、下側横板部３０の前後長さを大きくし、側部フレーム４の幅一杯に当接するから側部フレーム４荷重を強固に支持する。
【００２０】
しかして、上下に並設したバネ体１１のうち最も低位置に位置するバネ体１１は、アームレスト取付用ブラケット３７よりも下方に位置させ、この最低位置のバネ体１１に対して取付固定部１５の上側取付部１７は側面視において一部または全部が重なるようにしているから、クッション性を良好にしつつ強度が向上する。
また、上側横板部２０は側面視上側に至るに従い前側になるように傾斜させているから、上側横板部２０および上側ビード部２１の上端位置はバネ体１１のバネ取付部１２を避けて高くでき、その結果、可及的にアームレスト取付用ブラケット３７に近づけることで、アームレスト３６によって荷重が掛る最も近い部分を確実に支持し、全体の剛性を向上させる。
【００２１】
しかして、前記下部フレーム５は、中央部１６の両側に取付固定部１５が位置し、取付固定部１５と中央部１６との間には境界ビード部３８を設けているから、取付固定部１５により剛性が向上した分、下部フレーム５の取付固定部１５と中央部１６との間に集中する応力を境界ビード部３８により支持し、下部フレーム５の変形を防止する。
境界ビード部３８は側部フレーム４側に至るに従い高く傾斜させて形成しているから、アームレスト３６により取付固定部１５を後側に捩じるように作用する荷重を境界ビード部３８が支持し、下部フレーム５の変形を防止する。
【図面の簡単な説明】
【００２２】
【図１】シートフレームの斜視図。
【図２】シートフレームの側面図。
【図３】下部フレームの斜視図。
【図４】同正面図。
【図５】同平面図。
【図６】取付固定部の部分の側面図。
【符号の説明】
【００２３】
１…背凭骨格フレーム、２…支持機構、３…上部フレーム、４…側部フレーム、５…下部フレーム、６…リクライニングバネ、７…バネ取付用ブラケット、８…座席用ブラケット、１０…フランジ部、１１…バネ体、１２…バネ取付部、１５…取付固定部、１６…中央部、１７…上側取付部、１８…下側取付部、１９…縦板部、２０…上側横板部、２１…上側ビード部、２２…溶接固定、２５…上側側板部、２６…溶接固定、３０…下側横板部、３１…下側側板部、３２…溶接固定、３４…隙間、３５…取付用孔、３６…アームレスト、３７…アームレスト取付用ブラケット、３８…境界ビード部。
【図１】
2005119468.tif 000003
【図２】
2005119468.tif 000004
【図３】
2005119468.tif 000005
【図４】
2005119468.tif 000006
【図５】
2005119468.tif 000007
【図６】
2005119468.tif 000008